(57)【要約】【課題】  段ボールの端部どおしの強固な接合を得るとともに、リサイクル（再生）の処理に障害を及ぼすことがない段ボール箱を提供する。【解決手段】  段ボール２を所望の箱状に構成するために周回させた端部どおしを接合した段ボール箱１であって、前記端部どおしの接合部位を前記段ボール２の原料材質と同種の材質からなる糸４により該端部に沿って縫製３Aして接合したものである。【選択図】  図１
2005297979.tif 000002
【特許請求の範囲】
【請求項１】
段ボールを所望の箱状に構成するために周回させた端部どおしを接合した段ボール箱であって、前記端部どおしの接合部位を前記段ボールの原料材質と同種の材質からなる糸により縫製して接合したことを特徴とする段ボール箱。
【請求項２】
請求項１記載の段ボール箱であって、前記縫製部位を複数の並列縫製としたことを特徴とする段ボール箱。
【請求項３】
請求項１または２記載の段ボール箱であって、前記糸を、段ボールの原料材質と同種の材質からなる天然繊維となしたことを特徴とする段ボール箱。
【請求項４】
請求項１または２記載の段ボール箱であって、前記糸をレーヨン等からなる化学繊維となしたことを特徴とする段ボール箱。
【発明の詳細な説明】
【技術分野】
【０００１】
本発明は、例えば、紙製の段ボールからなる包装用等の段ボール箱に関するものである。
【背景技術】
【０００２】
一般に、この種の段ボール箱にあっては、箱状とするために段ボールの一辺または二辺（端部）を、例えば、ホットメルト等の接着剤により接着して接合するか、またはステップル等の金属釘により「かしめ」接合する手段が採用されている。（特許文献１及び特許文献２参照）。
【特許文献１】実開平７−１５５２０号公報
【特許文献２】実開平６−４５１０６号公報
【発明の開示】
【発明が解決しようとする課題】
【０００３】
しかしながら、上記の各接合手段において、接着剤により接着する手段にあっては、段ボールの表面の部分を貼り合わせているのみであり、接合強度が弱くなるという問題点があり、また、ステップル等の金属釘により「かしめ」接合する手段にあっては、金属釘であることから、包装用の段ボール箱として使用する場合は梱包（包装）した商品に損傷を与えるという問題点を生起するものであった。
さらに、上記の各接合手段においては、段ボール箱をリサイクル（再生）する場合、その接合手段に使用されている接着剤や金属釘等は該段ボール（箱）の原料である材質（パルプ）とは全く異質なものであるため、そのリサイクル（再生）の処理に種々の障害を及ぼす等の問題点を惹起していた。
そこで、本発明は、上記した従来の段ボール箱におけるの接合手段の問題点に鑑み、段ボールの端部どおしの強固な接合を得るとともに、リサイクル（再生）の際のもそのまま処理することができ、その処理にあって障害を及ぼすことがない段ボール箱を提供することにある。
【課題を解決するための手段】
【０００４】
上記した課題は、各請求項記載の発明によって解決される。
請求項１記載の発明は、段ボールを所望の箱状に構成するために周回させた端部どおしを接合した段ボール箱であって、前記端部どおしの接合部位を前記段ボールの原料材質と同種の材質からなる糸により縫製して接合したことを要旨とする。
【０００５】
この発明によれば、段ボール箱のおける段ボール端部どおしの接合部位を糸により縫製して接合することにより、その接合部位を強固にするとともに。リサイクル（再生）の処理に障害を及ぼすことがなく、そのままリサイクル（再生）の処理することができる。
【０００６】
請求項２記載の発明は、請求項１記載の段ボール箱であって、前記縫製部位を複数の並列縫製としたことを要旨とする。
【０００７】
この発明によれば、段ボール箱のおける段ボール端部どおしの接合部位を複数の並列縫製にとって、さらに強固にすることができる。
【０００８】
請求項３記載の発明は、請求項１または２記載の段ボール箱であって、前記糸を段ボールの原料材質と同種の材質からなる天然繊維となしたことを要旨とする。
【０００９】
この発明によれば、前記糸を段ボールの原料材質と同種の材質から天然繊維とすることにより、接合部位を強固にすることは勿論のこと、段ボールとともに通常のリサイクル（再生）処理をすることができ、その処理に何らの障害を及ぼすことがない。
【００１０】
請求項４記載の発明は、請求項１または２記載の段ボール箱であって、前記糸をレーヨン等の化学繊維とすることを要旨とする。
【００１１】
この発明によれば、前記糸をレーヨン等の化学繊維から形成したことにより、請求項３の場合と同様に、接合部位を強固にすることは勿論のこと、段ボールとともに通常のリサイクル（再生）処理をすることができ、その処理に何らの障害を及ぼすことがない。
【発明を実施するための最良の形態】
【００１２】
次に、本発明を実施するための最良の形態について、実施例にしたがって説明する。
【実施例】
【００１３】
図１〜図３に示すように、段ボール箱１は、その材料である例えば、紙製の段ボール２を所望の箱形状（この場合は四角の箱形を示す）に折曲形成してその両端部を重合し、該重合部位（接合部位）を後述する接合手段３により接合して箱体に構成されるものである。
【００１４】
この接合手段３は、段ボール２の原料材質（パルプ）と同種の材質（パルプ）からなる天然繊維、または、レーヨン等の化学繊維から構成された糸４を使用して前記重合した端部（接合部位）に沿って縫い付ける縫製手段３Ａにより接合するものである。
【００１５】
この場合、縫製手段３Ａにあっては、複数列の縫製（図では２列を示す）が望ましいが、単列でもよい。また、縫製の縫い方にあっても、図４の（ａ）に示す単環縫い、（ｂ）に示す二重環縫い、（ｃ）に示す二重環千鳥縫い等が望ましいが、どのような縫い方であってもよい。
【００１６】
また、本実施例は、四角の箱形状の段ボール箱１について説明したが、その箱形状は図示のものに限定するものではなく、種々形状の段ボール箱１に対応することができる。
【００１７】
そして、本実施例にあっては、上述のように、段ボール箱１を、縫製手段３Ａを用いて構成することによって、その接合部位を強固にするとともに。リサイクル（再生）の処理に障害を及ぼすことがない段ボール箱を得ることができるものである。
【００１８】
また、本実施例における縫製手段３Ａにあっては、重合した端部（接合部位）に沿って連続状に縫い付ける態様について説明したが、図５に示すように、重合部位（接合部位）に対して部分的に所定の間隔をおいて１条或いは複数条（図では１条の場合を示す）の糸４を独立して縫い付ける縫製手段３Ｂの態様でもよい。
【００１９】
なお、本実施例は、例えば、紙製の段ボール２を用いたが、これに変えて合成樹脂製の段ボールを使用して段ボール箱を形成してもよく、この場合、前述の糸にあっては、同質の合成樹脂繊維からなる糸が使用されるものである。
【図面の簡単な説明】
【００２０】
【図１】本発明の一実施の形態に係る段ボール箱を示す説明図である。
【図２】本発明の一実施の形態に係る段ボール箱を示す説明図である。
【図３】縫製状態を示す説明図である。
【図４】（ａ）（ｂ）（ｃ）は各縫い方を示す説明図である。
【図５】別の実施の形態に係る縫製状態を示す説明図である。
【符号の説明】
【００２１】
１    段ボール箱
２    段ボール
３Ａ  縫製手段
４    糸
【図１】
2005297979.tif 000003
【図２】
2005297979.tif 000004
【図３】
2005297979.tif 000005
【図４】
2005297979.tif 000006
【図５】
2005297979.tif 000007